【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
データ編集処理時に予め設定された条件を満たしていないデータが存在する場合に生成される当該編集処理に係る警告情報とともに、前記データ編集処理により生成された編集データを受信する受信手段と、
前記警告情報と前記編集データとを対応付けて登録する警告情報登録手段とを有することを特徴とする情報処理装置。
【請求項２】
前記警告情報には、前記データ編集処理において使用された画像データの解像度不足を示す情報が含まれることを特徴とする請求項１に記載の情報処理装置。
【請求項３】
前記警告情報には、前記データ編集処理において使用された文字データの情報量の超過を示す情報が含まれることを特徴とする請求項１又は２に記載の情報処理装置。
【請求項４】
外部装置からの要求に応じて、前記警告情報登録手段において登録される該当する情報を前記外部装置に対して送信する送信手段を更に有することを特徴とする請求項１〜３の何れか１項に記載の情報処理装置。
【請求項５】
ユーザから前記警告情報と対応づけられた編集データに関する事項でクレームを受け付けた場合に、前記編集データと前記クレーム内容とを対応付けて登録するクレーム登録手段と、
前記クレーム登録手段に登録される編集データにつき再注文を受け付けた場合、その再注文を受け付けられない旨を通知する通知手段とを更に有することを特徴とする請求項１〜４の何れか１項に記載の情報処理装置。
【請求項６】
データ編集処理を行うデータ編集手段と、
前記データ編集手段により予め設定された条件を満たしていないデータが存在する場合に、当該編集処理に係る警告情報を生成する警告情報生成手段と、
前記データ編集手段により編集される編集データと前記警告情報生成手段により生成される警告情報とを外部装置に対して送信する送信手段とを有することを特徴とする情報処理装置。
【請求項７】
前記警告情報には、前記データ編集処理において使用された画像データの解像度不足を示す情報が含まれることを特徴とする請求項６に記載の情報処理装置。
【請求項８】
前記警告情報には、前記データ編集処理において使用された文字データの情報量の超過を示す情報が含まれることを特徴とする請求項６又は７に記載の情報処理装置。
【請求項９】
通信回線を通じて複数の画像データを含む注文データを外部装置に送信する情報処理装置であって、
注文データに含まれる画像データが予め設定された条件を満たしていない場合に警告情報を生成する警告情報生成手段と、
注文データとともに警告情報を送信する送信手段とを備え、
前記警告情報は、前記予め設定された条件を満たしていない画像データを識別する識別情報を含むことを特徴とする情報処理装置。
【請求項１０】
前記警告情報は、警告内容を含み、該警告内容と前記識別情報が対応づけられていることを特徴とする請求項９に記載の情報処理装置。
【請求項１１】
前記複数の画像データはテンプレートにレイアウトされており、前記識別情報はテンプレートの枠に対応することを特徴とする請求項９に記載の情報処理装置。
【請求項１２】
前記警告情報には文字データの情報量の超過を示す情報が含まれることを特徴とする請求項９〜１１の何れか１項に記載の情報処理装置。
【請求項１３】
前記注文データは文字データをさらに含み、
前記警告情報には文字データの情報量の超過を示す情報が含まれることを特徴とする請求項９〜１２の何れか１項に記載の情報処理装置。
【請求項１４】
請求項１〜５の何れか１項に記載の情報処理装置と、請求項６〜８の何れか１項に記載の情報処理装置とを有することを特徴とする情報処理システム。
【請求項１５】
請求項１〜５の何れか１項に記載の情報処理装置と、請求項９〜１３の何れか１項に記載の情報処理装置とを有することを特徴とする情報処理システム。
【請求項１６】
情報処理装置による情報処理方法であって、
データ編集処理時に予め設定された条件を満たしていないデータが存在する場合に生成される当該編集処理に係る警告情報とともに、前記データ編集処理により生成された編集データを受信する受信ステップと、
前記警告情報と前記編集データとを対応付けて登録する警告情報登録ステップとを含むことを特徴とする情報処理方法。
【請求項１７】
情報処理装置による情報処理方法であって、
データ編集処理を行うデータ編集ステップと、
前記データ編集ステップにより予め設定された条件を満たしていないデータが存在する場合に、当該編集処理に係る警告情報を生成する警告情報生成ステップと、
前記データ編集ステップにより編集される編集データと前記警告情報生成ステップにより生成される警告情報とを外部装置に対して送信する送信ステップとを含むことを特徴とする情報処理方法。
【請求項１８】
通信回線を通じて複数の画像データを含む注文データを外部装置に送信する情報処理方法であって、
注文データに含まれる画像データが予め設定された条件を満たしていない場合に警告情報を生成する警告情報生成ステップと、
注文データとともに警告情報を送信する送信ステップとを備え、
前記警告情報は、前記予め設定された条件を満たしていない画像データを識別する識別情報を含むことを特徴とする情報処理方法。
【請求項１９】
請求項１６〜１８の何れか１項に記載の情報処理方法をコンピュータに実行させるためのプログラム。
【請求項２０】
請求項１９に記載のプログラムを記録したコンピュータ読み取り可能な記録媒体。
【手続補正２】
【補正対象書類名】明細書
【補正対象項目名】０００９
【補正方法】変更
【補正の内容】
【０００９】
本発明の情報処理装置の第１の態様は、データ編集処理時に予め設定された条件を満たしていないデータが存在する場合に生成される当該編集処理に係る警告情報とともに、前記データ編集処理により生成された編集データを受信する受信手段と、前記警告情報と前記編集データとを対応付けて登録する警告情報登録手段とを有することを特徴とする。
本発明の情報処理装置の第２の態様は、データ編集処理を行うデータ編集手段と、前記データ編集手段により予め設定された条件を満たしていないデータが存在する場合に、当該編集処理に係る警告情報を生成する警告情報生成手段と、前記データ編集手段により編集される編集データと前記警告情報生成手段により生成される警告情報とを外部装置に対して送信する送信手段とを有することを特徴とする。
本発明の情報処理装置の第３の態様は、通信回線を通じて複数の画像データを含む注文データを外部装置に送信する情報処理装置であって、注文データに含まれる画像データが予め設定された条件を満たしていない場合に警告情報を生成する警告情報生成手段と、注文データとともに警告情報を送信する送信手段とを備え、前記警告情報は、前記予め設定された条件を満たしていない画像データを識別する識別情報を含むことを特徴とする。
本発明の情報処理方法の第１の態様は、情報処理装置による情報処理方法であって、データ編集処理時に予め設定された条件を満たしていないデータが存在する場合に生成される当該編集処理に係る警告情報とともに、前記データ編集処理により生成された編集データを受信する受信ステップと、前記警告情報と前記編集データとを対応付けて登録する警告情報登録ステップとを含むことを特徴とする。
本発明の情報処理方法の第２の態様は、情報処理装置による情報処理方法であって、データ編集処理を行うデータ編集ステップと、前記データ編集ステップにより予め設定された条件を満たしていないデータが存在する場合に、当該編集処理に係る警告情報を生成する警告情報生成ステップと、前記データ編集ステップにより編集される編集データと前記警告情報生成ステップにより生成される警告情報とを外部装置に対して送信する送信ステップとを含むことを特徴とする。
本発明の情報処理方法の第３の態様は、通信回線を通じて複数の画像データを含む注文データを外部装置に送信する情報処理方法であって、注文データに含まれる画像データが予め設定された条件を満たしていない場合に警告情報を生成する警告情報生成ステップと、注文データとともに警告情報を送信する送信ステップとを備え、前記警告情報は、前記予め設定された条件を満たしていない画像データを識別する識別情報を含むことを特徴とする。
【手続補正３】
【補正対象書類名】明細書
【補正対象項目名】００１０
【補正方法】変更
【補正の内容】
【００１０】
本発明によれば、データ編集処理時に予め設定された条件を満たしていない編集処理がなされた場合に生成される当該編集処理に係る警告情報と当該編集データとの関連付けを登録しておくように構成したので、当該編集データの印刷物が届けられた後、その印刷物を受け取ったユーザから不具合な点に関する問い合わせがあった場合、当該編集データに関連付けて登録される警告情報に基づいて、サービス提供者側が問い合わせに対して適切な対応をとることが可能となる。